(57)【要約】【課題】金属屑の侵入を阻止する防護機能をもつ小型で安価な表面実装用コネクタを提供する。【解決手段】ハウジング１は組み付けられている複数の二股コンタクト２１・２２を備える。複数の二股コンタクト２１・２２はコネクタ１０に挿入されるＦＰＣ３と電気的に接続される。複数の二股コンタクト２２はハウジング１の側面から突出してリード部２２Ａを形成する。リード部２２Ａはプリント基板４に接合される。防護カバー５１はリード部２２Ａが突出するハウジング１の面を覆うように防護壁５１Ａを備える。防護壁５１Ａはリード部２２Ａが突出しているハウジング１の側面から所定の間隔に設けられる。防護壁５１Ａはリード部２２Ａの終端面から延長上となるように、防護カバー５１がハウジング１に取り付け可能である。【選択図】        図１
2005129417.tif 000002
【特許請求の範囲】
【請求項１】
絶縁性のハウジングに組み付けられている複数のコンタクトを備えており、当該複数のコンタクトは当該ハウジングに挿入されるＦＰＣを含む電気導体及び相手側電気コネクタのコンタクトと電気的に接続され、当該複数のコンタクトの一つ以上は前記ハウジングの側面から突出してリード部を形成しており、当該リード部がプリント基板に接合されている表面実装用コネクタであって、
前記リード部が突出している前記ハウジングの側面を覆うように防護壁を備えている絶縁性の防護カバーを有しており、
当該防護カバーは前記ハウジングに取り付け可能であることを特徴とする表面実装用コネクタ。
【請求項２】
前記防護カバーにおける防護壁は前記リード部が突出している前記ハウジングの側面から所定の間隔が設けられ、当該防護壁は前記リード部の終端面から延長上となるように当該防護カバーは前記ハウジングに取り付け可能であることを特徴とする請求項１記載の表面実装用コネクタ。
【請求項３】
前記防護カバーにおける防護壁の下端部の底面は当該表面実装用コネクタが表面実装される前記プリント基板の実装面と接触しないように間隙を設けられており、当該防護カバーは前記ハウジングに取り付け可能であることを特徴とする請求項１又は２のいずれかに記載の表面実装用コネクタ。
【請求項４】
前記防護カバーは前記防護壁の両翼に一対の突出ピンを備えており、前記ハウジングは前記リード部が突出している当該ハウジングの側面に前記一対の突出ピンが挿入される一対の穴が形成されており、当該一対の穴に前記一対の突出ピンが圧入されて当該防護カバーは前記ハウジングに取り付け可能であることを特徴とする請求項１から３のいずれかに記載の表面実装用コネクタ。
【請求項５】
前記防護カバーは、前記リード部の上方を覆うように前記防護壁に横設壁が備えられていることを特徴とする請求項１から４のいずれかに記載の表面実装用コネクタ。
【請求項６】
前記防護カバーにおける防護壁は、前記リード部に送風可能なように複数の通風穴が形成されていることを特徴とする請求項１から５のいずれかに記載の表面実装用コネクタ。
【請求項７】
前記防護カバーはポリフェニレンスルフィドで一体成形されていることを特徴とする請求項１から６のいずれかに記載の表面実装用コネクタ。
【請求項８】
前記ハウジングは前記ＦＰＣの挿入側において開閉する蓋体が備えられており、当該蓋体の回転中心の周囲は板カムを構成しており、前記コンタクトは上腕と下腕とで構成される二股コンタクトであって、当該上腕が前記板カムにすべり結合して前記蓋体の閉状態と開状態をそれぞれ維持され、前記蓋体が閉状態においては当該蓋体と前記下腕とで前記ＦＰＣが挟着され、前記蓋体が開状態においては当該蓋体と前記下腕とは前記ＦＰＣを挿抜可能に間隙が設けられることを特徴とする請求項１記載の表面実装用コネクタ。
【請求項９】
前記二股コンタクトは、前記ＦＰＣの挿入方向にリード部が突出する第１の二股コンタクトと前記ＦＰＣの挿入方向と反対側にリード部が突出する第２の二股コンタクトとで構成されており、前記第１の二股コンタクトにおける上腕及び下腕と前記第２の二股コンタクトにおける上腕及び下腕とが前記ＦＰＣの挿入方向と対向するように当該第１の二股コンタクトと当該第２の二股コンタクトとが前記ハウジングに交互に組み付けられていることを特徴とする請求項８記載の表面実装用コネクタ。
【発明の詳細な説明】
【技術分野】
【０００１】
本発明は、プリント基板に表面実装される表面実装用コネクタに関する。特に、本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）等の平形柔軟ケーブルを含む電気導体及び相手側電気コネクタのコンタクトに電気的に接続される表面実装用コネクタに関する。なお、本明細書は平形柔軟ケーブルを総称してＦＰＣと呼称することとする。
【背景技術】
【０００２】
近年の電子機器、例えば、液晶ディスプレイ等や携帯電話機とＰＤＡ（Ｐｅｒｓｏｎａｌ  Ｄｉｇｉｔａｌ  Ａｓｓｉｓｔａｎｃｅ）に代表される携帯型情報機器に実装される電子部品モジュールやプリント基板間を接続するには、平型柔軟ケーブルであるＦＰＣが使用されている。
【０００３】
プリント基板に表面実装されるＦＰＣ用コネクタは実装密度を上げるべく、実装高さを低くすること（低背化）が求められており、この表面実装型のＦＰＣ用コネクタに配列されるコンタクトも多ピン化、狭ピッチ化が進行している。
【０００４】
このような表面実装型のＦＰＣ用コネクタとして、ＦＰＣ挿入部が設けられた絶縁ハウジングと、絶縁ハウジングに所定のピッチで横並びに装着された複数のコンタクト端子であって、ＦＰＣ挿入部に延びるコンタクトビームを有している複数のコンタクト端子と、ＦＰＣ挿入部に挿入されたＦＰＣの接点とコンタクトビームのコンタクトとの間に、電気的接続に必要な接触圧を与えるための回動アクチュエータとを備えている表面実装型のＦＰＣ用コネクタが発明されている（例えば、特許文献１参照）。
【０００５】
前述の表面実装型のＦＰＣ用コネクタは、複数のコンタクト端子のそれぞれに隣接させて非コンタクト端子が回動可能に設置され、この非コンタクト端子に隣接するコンタクト端子のコンタクトビームと対向する付勢ビームが設けられており、回動アクチュエータの回動によって、非コンタクト端子の付勢ビームがコンタクトビームに向って回動するようにしたので、小型化が可能な構造の表面実装型のＦＰＣ用コネクタを提供することができる。
【特許文献１】特開２００３−１５１６６２号公報
【発明の開示】
【発明が解決しようとする課題】
【０００６】
しかしながら、図９に示された特許文献１による表面実装型のＦＰＣ用コネクタ６０は、複数のコンタクト端子９０が絶縁ハウジング７０に所定のピッチで横並びに装着されており、この複数のコンタクト端子９０におけるリード部となるコンタクト９５は、絶縁ハウジング７０の後方に突出している。突出しているコンタクト９５は、図示されないプリント基板にはんだ接合される。
【０００７】
なお、図９は特許文献１における図２に相当し、特許文献１による表面実装型のＦＰＣ用コネクタにおいて、ＦＰＣが接続される前の状態図であり、コンタクト端子に沿って示した断面図である。
【０００８】
例えば、液晶ディスプレイやＰＤＰ（Ｐｌａｓｍａ  Ｄｉｓｐｌａｙ  Ｐａｎｅｌ）等の組立工程においては、金属部材をタッピンねじで固定する場合がある。そして、タッピンねじでの締結時に発生した金属屑が、液晶ディスプレイやＰＤＰに備えられている表面実装型のＦＰＣ用コネクタにおけるコンタクトのリード部（図９のコンタクト９５に相当）に係止して当該コンタクト間を短絡してしまうという問題がある。
【０００９】
このような金属屑の落下又は侵入によるコンタクト間の短絡、特に、コンタクトにおけるリード部間の短絡を防止するため、図９において、回動アクチュエータ８０（以降、バックロック型のカバーとなる開閉レバー８０とする）の端部を延長し、更に、延長した開閉レバー８０をＬ字状に形成し、コンタクト９５をＬ字状の開閉レバー８０で覆うようにして、開閉レバー８０を金属屑の侵入を阻止する防護カバーとする対策が考えられる。
【００１０】
しかしながら、前述のようにカバーとなる開閉レバー８０を大きくすることは、小型化が可能な構造の表面実装型のＦＰＣ用コネクタとは相反するものとなる。更に、カバーとなる開閉レバー８０に防護機能をもたせるのではなく、カバーとなる開閉レバー８０とは無関係に表面実装用コネクタそれ自体に金属屑の侵入を阻止する防護機能をもつ小型（低背）で安価な表面実装用コネクタが求められている。
【００１１】
このような表面実装用コネクタにあっては、金属屑の防護機能付き表面実装用コネクタと金属屑の防護機能無しの表面実装用コネクタをユーザーが選択できるように提供できると便利である。つまり、ユーザーの求める仕様（例えば極数）の表面実装用コネクタにおいて、オプションとして金属屑の防護機能が選択できるようになれば便利である。
【００１２】
更に、このような金属屑の防護機能付きであり、表面実装用コネクタにあっては、コンタクトにおけるリード部がプリント基板にはんだ接合容易な構造であることも考慮されなくてはいけない。そして、はんだ接合されたリード部を例えば、導通チェックできるようにプローブで探査容易な構造とすると便利である。
【００１３】
本発明は、上述した課題を解決すべく、オプションとして金属屑の侵入を阻止する防護機能をもつ小型（低背）で安価な表面実装用コネクタを提供することを目的とする。
【課題を解決するための手段】
【００１４】
発明者は、上記目的を満たすため、ハウジングに金属屑の侵入を阻止する防護カバーを取り付け可能な構造とし、以下のような新たな表面実装用コネクタを発明した。
【００１５】
（１）  絶縁性のハウジングに組み付けられている複数のコンタクトを備えており、当該複数のコンタクトは当該ハウジングに挿入されるＦＰＣを含む電気導体及び相手側電気コネクタのコンタクトと電気的に接続され、当該複数のコンタクトの一つ以上は前記ハウジングの側面から突出してリード部を形成しており、当該リード部がプリント基板に接合されている表面実装用コネクタであって、前記リード部が突出している前記ハウジングの側面を覆うように防護壁を備えている絶縁性の防護カバーを有しており、当該防護カバーは前記ハウジングに取り付け可能であることを特徴とする表面実装用コネクタ。
【００１６】
（２）  前記防護カバーにおける防護壁は前記リード部が突出している前記ハウジングの側面から所定の間隔が設けられ、当該防護壁は前記リード部の終端面から延長上となるように当該防護カバーは前記ハウジングに取り付け可能であることを特徴とする（１）記載の表面実装用コネクタ。
【００１７】
（３）  前記防護カバーにおける防護壁の下端部の底面は当該表面実装用コネクタが表面実装される前記プリント基板の実装面と接触しないように間隙を設けられており、当該防護カバーは前記ハウジングに取り付け可能であることを特徴とする（１）又は（２）のいずれかに記載の表面実装用コネクタ。
【００１８】
（４）  前記防護カバーは前記防護壁の両翼に一対の突出ピンを備えており、前記ハウジングは前記リード部が突出している当該ハウジングの側面に前記一対の突出ピンが挿入される一対の穴が形成されており、当該一対の穴に前記一対の突出ピンが圧入されて当該防護カバーは前記ハウジングに取り付け可能であることを特徴とする（１）から（３）のいずれかに記載の表面実装用コネクタ。
【００１９】
（５）  前記防護カバーは、前記リード部の上方を覆うように前記防護壁に横設壁が備えられていることを特徴とする（１）から（４）のいずれかに記載の表面実装用コネクタ。
【００２０】
（６）  前記防護カバーにおける防護壁は、前記リード部に送風可能なように複数の通風穴が形成されていることを特徴とする（１）から（５）のいずれかに記載の表面実装用コネクタ。
【００２１】
（７）  前記防護カバーはポリフェニレンスルフィドで一体成形されていることを特徴とする（１）から（６）のいずれかに記載の表面実装用コネクタ。
【００２２】
（８）  前記ハウジングは前記ＦＰＣの挿入側において開閉する蓋体が備えられており、当該蓋体の回転中心の周囲は板カムを構成しており、前記コンタクトは上腕と下腕とで構成される二股コンタクトであって、当該上腕が前記板カムにすべり結合して前記蓋体の閉状態と開状態をそれぞれ維持され、前記蓋体が閉状態においては当該蓋体と前記下腕とで前記ＦＰＣが挟着され、前記蓋体が開状態においては当該蓋体と前記下腕とは前記ＦＰＣを挿抜可能に間隙が設けられることを特徴とする（１）記載の表面実装用コネクタ。
【００２３】
（９）  前記二股コンタクトは、前記ＦＰＣの挿入方向にリード部が突出する第１の二股コンタクトと前記ＦＰＣの挿入方向と反対側にリード部が突出する第２の二股コンタクトとで構成されており、前記第１の二股コンタクトにおける上腕及び下腕と前記第２の二股コンタクトにおける上腕及び下腕とが前記ＦＰＣの挿入方向と対向するように当該第１の二股コンタクトと当該第２の二股コンタクトとが前記ハウジングに交互に組み付けられていることを特徴とする（８）記載の表面実装用コネクタ。
【００２４】
（１）記載の発明によれば、「絶縁性のハウジングに組み付けられている複数のコンタクトを備えており、当該複数のコンタクトは当該ハウジングに挿入されるＦＰＣを含む電気導体及び相手側電気コネクタのコンタクトと電気的に接続され、当該複数のコンタクトの一つ以上は前記ハウジングの側面から突出してリード部を形成しており、当該リード部がプリント基板に接合されている表面実装用コネクタであって、前記リード部が突出している前記ハウジングの側面を覆うように防護壁を備えている絶縁性の防護カバーを有しており、当該防護カバーは前記ハウジングに取り付け可能である」ことを特徴としてよい。
【００２５】
（２）記載の発明によれば、「（１）記載の表面実装用コネクタにおいて、前記防護カバーにおける防護壁は前記リード部が突出している前記ハウジングの側面から所定の間隔が設けられ、当該防護壁は前記リード部の終端面から延長上となるように当該防護カバーは前記ハウジングに取り付け可能である」ことを特徴としてよい。
【００２６】
本発明によるコネクタは、絶縁性のハウジングに組み付けられている複数のコンタクトを備えており、当該複数のコンタクトは当該ハウジングに挿入されるＦＰＣを含む電気導体及び相手側電気コネクタのコンタクトと電気的に接続され、当該複数のコンタクトの一つ以上は前記ハウジングの側面から突出してリード部を形成しており、当該リード部がプリント基板に接合されている表面実装用コネクタであってよい。
【００２７】
本発明による表面実装用コネクタに電気接続されるのは、ＦＰＣやＦＦＣ等の平形柔軟ケーブルであってよく、フラットケーブルを含むケーブルの端末に実装される角形プラグ又は角形リセプタクルであってもよい。更に、本発明による表面実装用コネクタに電気接続される相手側コネクタとしては、基板対基板用コネクタ、いわゆるボードトゥボード用コネクタであってもよい。相手側コネクタが表面実装用コネクタであってもよい。
【００２８】
又、本発明による表面実装用コネクタが、シェルタイプであって通常おすコンタクトが配列されている多極のリセプタクルにあっては、相手側コネクタはシェルタイプであって通常めすコンタクトが配列されている多極のプラグであってよい。本発明による表面実装用コネクタが、多極のプラグにあっては、相手側コネクタは多極のリセプタクルであってよい。なお、おすコンタクトとめすコンタクトの区別は便宜的なものであって、コンタクトの形態に左右されるものではない。
【００２９】
好適な実施態様において、本発明による絶縁性のハウジングは概直方体に形成されており、このハウジングに複数のコンタクトがＦＰＣの挿入方向と直交する方向に一列に又は複数列に組み付けられている表面実装型のＦＰＣ用コネクタであってよい。前記複数のコンタクトは二股コンタクト又は音叉形コンタクトであってよい。
【００３０】
二股コンタクトは一方の端部に上腕及び下腕が形成されており、本発明は二股コンタクトにおける上腕及び下腕がＦＰＣを挟着して弾性接触するＦＰＣ用コネクタであってよく、二股コンタクトにおける上腕又は下腕だけがＦＰＣと弾性接触する表面実装型のＦＰＣ用コネクタであってもよい。
【００３１】
本発明による表面実装型のＦＰＣ用コネクタは、ハウジングのカバーとなる開閉レバーに二股コンタクトにおける上腕又は下腕とが連結して、ＦＰＣを挿抜するときに挿抜力をほとんど要しない、いわゆるＺＩＦ（Ｚｅｒｏ  Ｉｎｓｅｒｔｉｏｎ  Ｆｏｒｃｅ）型コネクタであってよい。
【００３２】
又、本発明による表面実装型のＦＰＣ用コネクタは、ＦＰＣをコンタクトに接触させる機構を必要とせず、ハウジングに内包される二股コンタクトの挟圧力だけでＦＰＣを保持する、いわゆるＮＯＮ−ＺＩＦ型コネクタであってもよい。
【００３３】
そして、ＦＰＣの挿入方向と反対側の側面において、複数のコンタクトはハウジングから突出して全てリード部を形成してもよく、ＦＰＣの挿入側の側面と、ＦＰＣの挿入方向と反対側の側面とに交互にリード部が突出するように、複数のコンタクトがハウジングに配置されてもよい。
【００３４】
好適な実施態様の表面実装型のＦＰＣ用コネクタにあっては、ハウジングはＦＰＣの挿入側において開閉する蓋体が備えられており、蓋体の回転中心の周囲は板カムを構成している。そして、コンタクトは上腕と下腕とで構成される二股コンタクトであって、上腕が板カムとすべり結合して蓋体の閉状態と開状態をそれぞれ維持される。蓋体が閉状態においては蓋体と下腕とでＦＰＣが挟着され、蓋体が開状態においては蓋体と下腕とはＦＰＣを挿抜可能に間隙が設けられる。
【００３５】
前述の好適な実施態様の表面実装型のＦＰＣ用コネクタにあっては、二股コンタクトは、ＦＰＣの挿入方向にリード部が突出する第１の二股コンタクトと、ＦＰＣの挿入方向と反対側にリード部が突出する第２の二股コンタクトとで構成されている。そして、第１の二股コンタクトにおける上腕及び下腕と第２の二股コンタクトにおける上腕及び下腕とが、ＦＰＣの挿入方向と対向するように第１の二股コンタクトと第２の二股コンタクトとがハウジングに一列に交互に組み付けられている。
【００３６】
このような表面実装用コネクタにおいて、オプションとなる絶縁性の防護カバーは、リード部が突出しているハウジングの側面を覆うように矩形薄板の防護壁を備えている。そして、リード部が突出しているハウジングの側面から防護壁が所定の間隔が設けられて、この防護カバーはハウジングに取り付けられる。更に、防護壁はリード部の終端面から延長上となるように、リード部が突出しているハウジングの側面に防護カバーが取り付けられる。
【００３７】
このような防護カバー付き表面実装用コネクタにあっては、例えば、タッピンねじでの締結時に発生した金属屑が、表面実装用コネクタに装着されたコンタクトにおけるリード部間に落下又は侵入することを防護壁で阻止できる。
【００３８】
本発明による防護カバー付き表面実装用コネクタにあっては、防護カバーにおける防護壁の下端部の底面は、表面実装用コネクタが表面実装されるプリント基板の実装面と接触しないように間隙を設けられており、防護カバーはハウジングに取り付け可能である。
【００３９】
このことは、この表面実装用コネクタをプリント基板にエアーリフロー炉で表面実装するときに有用となる。周知のとおり、エアーリフロー炉を用いる表面実装工法においては、クリームはんだをプリント基板に塗布し、部品（本発明では表面実装用コネクタ）を仮実装した後に、クリームはんだを溶融させて、部品を固着する。
【００４０】
本発明による防護カバー付き表面実装用コネクタにあっては、防護壁の下端部はプリント基板の実装面に接触しないように僅かな間隙が形成されており、エアーリフロー炉によるはんだ接合工程において、リード部の熱溶着を阻害することがない。つまり、防護壁に遮られることなくリード部近傍にエアーリフロー炉の熱風が循環又は流動するという効果が期待できる。
【００４１】
更に、本発明による防護カバー付き表面実装用コネクタにあっては、防護カバーにおける防護壁はリード部が突出しているハウジングの側面から所定の間隔が設けられ、防護壁はリード部の終端面から延長上となるように、防護カバーは前記ハウジングに取り付けられるので、このリード部の上面にプローブの針を当接して、例えば、導通チェックすることもできる。
【００４２】
又、本発明による防護カバー付き表面実装用コネクタにあっては、防護壁の下端部はプリント基板の実装面に接触しないように僅かな間隙が形成されており、エアーリフロー炉によるはんだ接合工程において、リード部の熱溶着を阻害することがない。更に、リード部とプリント基板との間隙にエアーリフロー炉の熱風が循環又は流動するという効果も期待できる。
【００４３】
好適な第１の実施態様において、本発明による防護カバー付き表面実装用コネクタは、「前記防護カバーは前記防護壁の両翼に一対の突出ピンを備えており、前記ハウジングは前記リード部が突出している当該ハウジングの側面に前記一対の突出ピンが挿入される一対の穴が形成されており、当該一対の穴に前記一対の突出ピンが圧入されて前記当該防護カバーは前記ハウジングに取り付け可能である」ことを特徴としてよい。
【００４４】
そして、この好適な第１の実施態様において、一対の突出ピンは四角錐体に形成されてよく、円錐体に形成されてもよい。一対の突出ピンに対応する一対の穴は、四角錐体の突出ピンに対応する四角穴であってよく、円錐体の突出ピンに対応する丸穴であってもよい。この好適な第１の実施態様による防護カバーは、リード部が形成されているハウジングの側面に一対の突出ピンが圧入されるものである。
【００４５】
好適な第２の実施態様において、本発明による防護カバー付き表面実装用コネクタは、「防護カバーは、前記リード部の上方を覆うように前記防護壁に横設壁が備えられている」ことを特徴としてよい。
【００４６】
この好適な第２の実施態様による防護カバーは、表面実装用コネクタに装着されたコンタクトにおけるリード部を、リード部が形成されているハウジングの側面と、当該ハウジングの側面と直交する方向を覆うものである。
【００４７】
つまり、第２の実施態様による防護カバーは、防護壁と横設壁とでハウジングの後方及び上方を覆い、例えば、タッピンねじでの締結時に発生した金属屑が、表面実装用コネクタに装着されたコンタクトにおけるリード部間に落下又は侵入することを防護壁と横設壁とで阻止するものである。
【００４８】
更に、好適な第３の実施態様において、本発明による防護カバー付き表面実装用コネクタは、「防護カバーにおける防護壁は、リード部に送風可能なように複数の通風穴が形成されている」ことを特徴としてよい。
【００４９】
この好適な第３の実施態様において、例えば、タッピンねじでの締結時に発生した金属屑程度の通過は不可能であるが、通風可能な複数の小さい貫通穴が防護カバーにおける防護壁に形成されている。
【００５０】
複数のリード部の配列に対応して、通風穴となる貫通穴を形成することにより、エアーリフロー炉で発生する熱風がリード部に直接送風されるので、リード部が一定時間内に所定温度に昇温することを阻害しないという効果が期待できる。
【００５１】
好適な実施態様において、防護カバーはポリフェニレンスルフィド（ｐｏｌｙｐｈｅｎｙｌｅｎｅ  ｓｕｌｆｉｄｅ、以下ＰＰＳと略称する）で一体成形されてよい。このＰＰＳにあっては耐熱性、剛性を有し、寸法安定性、耐薬品、難燃性、電気絶縁性に優れる代表的なエンジニアリングプラスチックであり、ガラス繊維、カーボン繊維などを配合した複合体として用いられてもよい。
【００５２】
好適な実施態様において、ハウジングは同様に、ＰＰＳで成形されてよく、ポリブチレンテレフタレート（ｐｏｌｙｂｕｔｙｌｅｎｅ  ｔｅｒｅｐｈｔｈａｌａｔｅ、以下ＰＢＴと略称する）で成形されてもよい。このＰＢＴにあっては高い融点と結晶化度をもち、吸水率や熱膨張係数が低いため、優れた寸法安定性を示す。又、電気絶縁性に優れ、吸湿による電気特性の変化が小さく、絶縁破壊電圧が高いという特徴をもっている。
【発明の効果】
【００５３】
本発明の表面実装用コネクタにおいて、オプションとなる絶縁性の防護カバーは、リード部が突出しているハウジングの側面を覆うように矩形薄板の防護壁を備えているので例えば、タッピンねじでの締結時に発生した金属屑が、表面実装用コネクタに装着されたコンタクトにおけるリード部間に落下又は侵入することを防護壁で阻止できる。
【００５４】
更に、本発明による防護カバー付き表面実装用コネクタにあっては、エアーリフロー装置による表面実装工法において、防護カバーがリード部やプリント基板に熱伝導しない構造としたので、はんだ接合性能を損なうことがない。更に、第１の実施態様にあっては、リード部の上面は開口するように開放されているので、このリード部の上面にプローブの針を当接して、例えば、導通チェックすることもできる。
【発明を実施するための最良の形態】
【００５５】
以下、図面を参照して本発明を実施するための最良の形態を説明する。なお、以下の説明において、この発明による表面実装用コネクタとして表面実装型のＦＰＣ用コネクタを例示して最良の形態を説明する。
【００５６】
図１は、本発明における一実施形態による表面実装用コネクタの斜視外観図である。図１の実施形態において、符号１はハウジング、符号２１と２２は二股コンタクト、符号３はＦＰＣである。又、符号４はプリント基板、符号５１は防護カバーである。
【００５７】
図１の実施形態において、ハウジング１は絶縁性の合成樹脂材で概直方体に成形されている。このハウジング１に複数の二股コンタクト２１及び２２がＦＰＣ３の挿入方向と直交する方向に交互に一列に配置されて組み付けられている。
【００５８】
図１の表面実装用コネクタ（以下、コネクタと略称する）１０にあっては、ハウジング１はＦＰＣ３の挿入側において開閉する蓋体１１が備えられている。コネクタ１０にＦＰＣ３が挿入され、この蓋体１１が閉じることにより、二股コンタクト２１及び２２とＦＰＣ３とが電気的に接続される。
【００５９】
そして、ＦＰＣ３の挿入方向と反対側の側面において、二股コンタクト２２はハウジング１から突出してリード部２２Ａを形成している。このリード部２２Ａは、プリント基板４の表面に形成されているランドパターンにはんだ接合されている。このコネクタ１０はプリント基板に接合される表面実装型のＦＰＣ用コネクタである。
【００６０】
図１において、絶縁性の防護カバー５１は、リード部２２Ａが突出しているハウジング１の側面を覆うように防護壁５１Ａを備えている。そして、防護カバー５１における防護壁５１Ａは、リード部２２Ａが突出しているハウジング１の側面から所定の間隔が設けられている。
【００６１】
又、防護カバー５１における防護壁５１Ａは、リード部２２Ａの終端面から延長上となるように、防護カバー５１がハウジング１に取り付けられている。
【００６２】
更に、図１の実施形態において、防護カバー５１における防護壁５１Ａの下端部の底面は、コネクタ１０が表面実装されるプリント基板４の実装面に接触しないように僅かな間隙を設けて、ハウジング１に防護カバー５１が取り付けられる。
【００６３】
次に、この発明によるコネクタ１０の構成を図２により更に説明する。図２（ａ）はコネクタ１０の正面図、図２（ｂ）はコネクタ１０の平面図、図２（ｃ）はコネクタ１０の右側面図である。又、図２（ｄ）はコネクタ１０の平面図であり、図２（ａ）に示されたＷ−Ｗ矢視部を断面としている。
【００６４】
更に、図２（ｅ）は図２（ａ）に示されたＸ−Ｘ矢視断面図であり、図２（ｆ）は図２（ａ）に示されたＹ−Ｙ矢視断面図であり、図２（ｇ）は図２（ａ）に示されたＺ−Ｚ矢視断面図である。
【００６５】
図２の実施形態に示されるように、蓋体１１の両翼には、相反するように一対の回転軸１１Ａを延出している。この一対の回転軸１１Ａは、ハウジング１の両翼に圧入された一対の保持部材１Ａ及び１Ｂによって回転支持されている。
【００６６】
一方、図２（ｅ）に最もよく示されるように、二股コンタクト２１は、ＦＰＣ３（図１参照）の挿入方向側にリード部２１Ａが突出している。そして、二股コンタクト２１は、リード部２１Ａと平行するように上腕２１Ｂと下腕２１Ｃを形成している。
【００６７】
同様に、図２（ｆ）に最もよく示されるように、二股コンタクト２２は、ＦＰＣ３（図１参照）の挿入方向と反対側にリード部２２Ａが突出している。そして、二股コンタクト２２は、リード部２２Ａと相反側において、上腕２２Ｂと下腕２２Ｃを形成している。
【００６８】
そして、図２（ｂ）に最もよく示されるように、二股コンタクト２１と二股コンタクト２２とは、それぞれのリード部２１Ａ及び２２Ａが相反するように、一列に交互に配列されている。このように、リード部２１Ａとリード部２２Ａとを交互に配列することにより、多ピンのコンタクトを狭ピッチでプリント基板に実装できる。
【００６９】
又、図２（ｅ）及び図２（ｆ）に最もよく示されるように、蓋体１１の回転中心の周囲は板カムを構成しており、上腕２１Ｂ及び２２Ｂが前記板カムにすべり結合して蓋体１１の閉状態と開状態とがそれぞれ維持される。
【００７０】
図２において、蓋体１１が閉状態においては、蓋体１１と下腕２１Ｃ及び２２ＣとでＦＰＣ３（図１参照）が挟着され、蓋体１１が開状態においては蓋体１１と下腕２１Ｃ及び２２ＣとはＦＰＣ３を挿抜可能に間隙が設けられる。
【００７１】
次に、本発明によるコネクタ１０と第１実施例による防護カバー５１との取り付け構造を図３の斜視分解組立図により説明する。
【００７２】
図３の第１実施例による取り付け構造において、防護カバー５１は、防護壁５１の両翼に防護壁５１Ａと直交するよう、四角錐体で形成された一対の突出ピン５１Ｃ及び５１Ｄを備えている。
【００７３】
一方、ハウジング１はリード部２２Ａが突出している当該ハウジング１の側面に、一対の突出ピン５１Ｃ及び５１Ｄが挿入される四角穴となる一対の穴１Ｃ及び１Ｄが形成されている。
【００７４】
この一対の穴１Ｃ及び１Ｄに一対の突出ピン５１Ｃ及び５１Ｄが圧入されて、ハウジング１に防護カバー５１が取り付け可能となる。なお、図３における第１の実施例において、ハウジング１の後方から、防護カバー５１はハウジング１に圧入されるものである。
【００７５】
図３に示されたコネクタ１０は、防護カバー５１をオプションとすることもできる。図３に示されたコネクタ１０は、防護カバー５１を取り付けなくても、金属屑の防護機能を除けば、低背であり、表面実装型のＦＰＣ用ＺＩＦコネクタとして機能するものである。なお、コネクタ１０に防護カバー５１が取り付けられた状態は、図１の外観図に示されている。
【００７６】
図１に示された防護カバー５１付きコネクタ１０にあっては、例えば、タッピンねじでの締結時に発生した金属屑が、コネクタ１０におけるリード部２２Ａ間に落下又は侵入することを防護壁５１Ａで阻止できる。
【００７７】
図１においては、リード部２２Ａは防護壁５１Ａに接触していないので、エアーリフロー炉でリード部２２Ａを加熱時にリード部２２Ａは防護壁５１Ａに熱伝導しないので、リード部２２Ａが一定時間内に所定温度に昇温することを阻害しない。更に、リード部２２Ａと防護壁５１Ａとの間隙にエアーリフロー炉の熱風が循環又は流動するという効果も期待できる。
【００７８】
更に、図１に示された防護カバー５１付きコネクタ１０にあっては、リード部２２Ａの上方は開放されているので、このリード部２２Ａの上面にプローブの針を当接して、例えば、導通チェックすることもできる。
【００７９】
次に、本発明によるコネクタ１０と第２実施例による防護カバー５２との取り付け構造を図４の斜視分解組立図により説明する。なお、図４の第２実施例の説明において、図１から図３で使用された同じ符号は、第１実施例と作用を同じとするので説明を割愛する。
【００８０】
図４の第２実施例による取り付け構造において、防護カバー５２は、防護壁５２の両翼に防護壁５２Ａと直交するよう、四角錐体で形成された一対の突出ピン５２Ｃ及び５２Ｄを備えている。
【００８１】
一方、ハウジング１はリード部２２Ａが突出している当該ハウジング１の側面に、一対の突出ピン５２Ｃ及び５２Ｄが挿入される四角穴となる一対の穴１Ｃ及び１Ｄが形成されている。
【００８２】
この一対の穴１Ｃ及び１Ｄに一対の突出ピン５２Ｃ及び５２Ｄが圧入されて、ハウジング１に防護カバー５２が取り付け可能となる。なお、図４における第２実施例において、ハウジング１の後方から、防護カバー５２はハウジング１に圧入されるものである。
【００８３】
図４に示されたコネクタ１０は、防護カバー５２をオプションとすることもできる。図４に示されたコネクタ１０は、防護カバー５２を取り付けなくても、金属屑の防護機能を除けば、低背であり、表面実装型のＦＰＣ用ＺＩＦコネクタとして機能するものである。
【００８４】
図５は、コネクタ１０に第２実施例による防護カバー５２が取り付けられた状態図である。図５（ａ）はコネクタ１０の正面図、図５（ｂ）はコネクタ１０の平面図、図５（ｃ）はコネクタ１０の右側面図である。
【００８５】
図５の第２実施例において、絶縁性の防護カバー５２は、リード部２２Ａが突出しているハウジング１の側面を覆うように防護壁５２Ａを備えている。そして、防護カバー５２は、リード部２２Ａの上方を覆うように防護壁５２Ａに横設壁５２Ｂが備えられている。防護壁５２Ａと横設壁５２Ｂとは、図４に最もよく示されているように縦断面が「Ｌ」の字状に形成されている。
【００８６】
又、図５（ｃ）に最もよく示されているように、防護カバー５２における防護壁５２Ａは、リード部２２Ａが突出しているハウジング１の側面から所定の間隔が設けられ、防護壁５２Ａはリード部２２Ａの終端面から延長上となるようにハウジング１に防護カバー５２が取り付けられる。
【００８７】
更に、図５の第２実施例において、防護カバー５２における防護壁５２Ａの下端部の底面は、コネクタ１０が表面実装されるプリント基板４（図１参照）の実装面に接触しないように僅かな間隙を設けて、ハウジング１に防護カバー５２が取り付けられる。
【００８８】
図５に示された防護カバー５２付きコネクタ１０にあっては、例えば、タッピンねじでの締結時に発生した金属屑が、コネクタ１０におけるリード部２２Ａ間に落下又は侵入することを防護壁５２Ａと横設壁５２Ｂとで阻止できる。
【００８９】
図５においては、リード部２２Ａは防護壁５２Ａに接触していないので、エアーリフロー炉でリード部２２Ａを加熱時にリード部２２Ａは防護壁５２Ａに熱伝導しないので、リード部２２Ａが一定時間内に所定温度に昇温することを阻害しない。更に、リード部２２Ａと防護壁５２Ａとの間隙にエアーリフロー炉の熱風が循環又は流動するという効果も期待できる。
【００９０】
次に、本発明によるコネクタ１０と第３実施例による防護カバー５３との取り付け構造を図６の斜視分解組立図により説明する。なお、図６の第３実施例の説明において、図１から図３で使用された同じ符号は、第１実施例と作用を同じとするので説明を割愛する。
【００９１】
図６の第３実施例による取り付け構造において、防護カバー５３は、防護壁５３の両翼に防護壁５３Ａと直交するよう、四角錐体で形成された一対の突出ピン５３Ｃ及び５３Ｄを備えている。
【００９２】
一方、ハウジング１はリード部２２Ａが突出している当該ハウジング１の側面に、一対の突出ピン５３Ｃ及び５３Ｄが挿入される四角穴となる一対の穴１Ｃ及び１Ｄが形成されている。
【００９３】
この一対の穴１Ｃ及び１Ｄに一対の突出ピン５３Ｃ及び５３Ｄが圧入されて、ハウジング１に防護カバー５３が取り付け可能となる。なお、図６における第３実施例において、ハウジング１の後方から、防護カバー５３はハウジング１に圧入されるものである。
【００９４】
図６に示されたコネクタ１０は、防護カバー５３をオプションとすることもできる。図６に示されたコネクタ１０は、防護カバー５３を取り付けなくても、金属屑の防護機能を除けば、低背であり、表面実装型のＦＰＣ用ＺＩＦコネクタとして機能するものである。
【００９５】
図７は、コネクタ１０に第３実施例による防護カバー５３が取り付けられた状態図である。図７（ａ）はコネクタ１０の正面図、図７（ｂ）はコネクタ１０の平面図、図７（ｃ）はコネクタ１０の右側面図である。
【００９６】
図７の第３実施例において、絶縁性の防護カバー５３は、リード部２２Ａが突出しているハウジング１の側面を覆うように防護壁５３Ａを備えている。そして、防護カバー５３は、リード部２２Ａの上方を覆うように防護壁５３Ａに横設壁５３Ｂが備えられている。防護壁５３Ａと横設壁５３Ｂとは、図６に最もよく示されているように縦断面が「Ｌ」の字状に形成されている。
【００９７】
又、図７（ｃ）に最もよく示されているように、防護カバー５３における防護壁５３Ａは、リード部２２Ａが突出しているハウジング１の側面から所定の間隔が設けられ、防護壁５３Ａはリード部２２Ａの終端面から延長上となるようにハウジング１に防護カバー５３が取り付けられる。
【００９８】
更に、図７の第３実施例において、防護カバー５３における防護壁５３Ａの下端部の底面は、コネクタ１０が表面実装されるプリント基板４（図１参照）の実装面に接触しないように僅かな間隙を設けて、ハウジング１に防護カバー５３が取り付けられる。
【００９９】
図７に示された防護カバー５３付きコネクタ１０にあっては、例えば、タッピンねじでの締結時に発生した金属屑が、コネクタ１０におけるリード部２２Ａ間に落下又は侵入することを防護壁５３Ａと横設壁５３Ｂとで阻止できる。
【０１００】
更に、図６又は図７に示されるように、例えば、タッピンねじでの締結時に発生した金属屑程度の通過は不可能であるが、通風可能な複数の小さい貫通穴となる通風穴５３Ｅが防護カバー５３における防護壁５３Ａに形成されている。
【０１０１】
図７においては、リード部２２Ａは防護壁５２Ａに接触していないので、エアーリフロー炉でリード部２２Ａを加熱時にリード部２２Ａは防護壁５２Ａに熱伝導しないので、リード部２２Ａが一定時間内に所定温度に昇温することを阻害しない。更に、リード部２２Ａと防護壁５２Ａとの間隙にエアーリフロー炉の熱風が循環又は流動するという効果も期待できる。
【０１０２】
更に、複数のリード部２２Ａの配列に対応して、貫通穴となる通風穴５３Ｅを複数形成することにより、エアーリフロー炉で発生する熱風がリード部２２Ａに直接送風されるので、リード部２２Ａが一定時間内に所定温度に昇温することを阻害しないという効果が期待できる。
【０１０３】
次に、本発明における第４実施例による防護カバーの構成を図８により説明する。
【０１０４】
図８は、コネクタ１０に第４実施例による防護カバーが取り付けられた状態図である。図８（ａ）はコネクタ１０の正面図、図８（ｂ）はコネクタ１０の平面図、図８（ｃ）はコネクタ１０の右側面図である。
【０１０５】
なお、図８（ａ）〜図８（ｃ）は、図２（ａ）〜図２（ｃ）にそれぞれ対応している。そして、第４実施例による防護カバーは、図１から図３に示された第１実施例による防護カバー５１の防護壁５１Ａに複数の通風穴５１Ｅが追加形成されたものである。
【０１０６】
したがって、図８の第４実施例の説明において、図１から図３に示された第１実施例と重複する説明は割愛する。
【０１０７】
図８の第４実施例においては、例えば、タッピンねじでの締結時に発生した金属屑程度の通過は不可能であるが、通風可能な複数の小さい貫通穴となる通風穴５１Ｅが防護カバー５１における防護壁５１Ａに形成されている。
【０１０８】
図８の第４実施例においては、第１実施例で示された効果に加え、複数のリード部２２Ａの配列に対応して、貫通穴となる通風穴５１Ｅを複数形成することにより、エアーリフロー炉で発生する熱風がリード部２２Ａに直接送風されるので、リード部２２Ａが一定時間内に所定温度に昇温することを阻害しないという効果が期待できる。
【産業上の利用可能性】
【０１０９】
なお、本実施例はＦＰＣ用コネクタについて説明したが、ケース内に収容され、ケース近傍に複数のリード部を露出させる表面実装タイプの各種コネクタであれば、本発明の実施がきわめて有効である。例えば、表面実装タイプの基板対基板用コネクタ、基板対電線用コネクタ、又、ＤＩＰタイプのリード部が露出するコネクタにおいても同様の効果を得ることができる。
【図面の簡単な説明】
【０１１０】
【図１】本発明における一実施形態による表面実装用コネクタの斜視外観図である。
【図２】本発明による表面実装用コネクタの構成図である。
【図３】本発明による第１実施例による表面実装用コネクタの斜視分解組立図である。
【図４】本発明による第２実施例による表面実装用コネクタの斜視分解組立図である。
【図５】本発明による表面実装用コネクタに第２実施例による防護カバーが取り付けられた状態図である。
【図６】本発明による第３実施例による表面実装用コネクタの斜視分解組立図である。
【図７】本発明による表面実装用コネクタに第３実施例による防護カバーが取り付けられた状態図である。
【図８】本発明による表面実装用コネクタに第４実施例による防護カバーが取り付けられた状態図である。
【図９】従来技術による表面実装用コネクタの図であり、ＦＰＣが接続される前の状態図であり、コンタクト端子に沿って示した断面図である。
【符号の説明】
【０１１１】
１    ハウジング
１Ａ・１Ｂ    保持部材
１Ｃ・１Ｄ    穴
３    ＦＰＣ
４    プリント基板
１０    表面実装用コネクタ（コネクタ）
１１    蓋体
１１Ａ    回転軸
２１・２２    二股コンタクト
２１Ａ・２２Ａ    リード部
２１Ｂ・２２Ｂ    上腕
２１Ｃ・２２Ｃ    下腕
５１・５２・５３    防護カバー
５１Ａ・５２Ａ・５３Ａ    防護壁
５２Ｂ・５３Ｂ    横設壁
５１Ｅ・５３Ｅ    通風穴
５１Ｃ・５１Ｄ・５２Ｃ・５２Ｄ・５３Ｃ・５３Ｄ    突出ピン
【図１】
2005129417.tif 000003
【図２】
2005129417.tif 000004
【図３】
2005129417.tif 000005
【図４】
2005129417.tif 000006
【図５】
2005129417.tif 000007
【図６】
2005129417.tif 000008
【図７】
2005129417.tif 000009
【図８】
2005129417.tif 000010
【図９】
2005129417.tif 000011